(57)【要約】【課題】  厚肉の頂部を有するブラジャー用パッドの製造方法並びにこのパッドそのものを提供すること。【解決手段】  製造方法としては、熱可塑樹脂フォームのような、厚みの均一な弾性を有する成形可能な材料で構成したシート材を保持することと、ブラジャー又はパッドを含む、ブラジャー状の衣服の各頂部に対応する段階的に厚みをつけた厚肉頂部領域と、その周囲の薄肉領域を有するようにシート材を形成すること。各パッドは、厚みのある頂部を有しており、これが胸の頂部を覆うものとなっている。【選択図】  図１３
2007529644.tif 000002
【特許請求の範囲】
【請求項１】
均一な厚みを持ち成形可能で弾性を有するシート材を少なくとも一つの凹部の中にある当該シート材の一部と共に保持することと、前記凹部と適合する少なくとも一つの段階的に厚みをつけた肉厚頂部領域とその回りの肉薄領域を有する前記材料の段階的に厚みをつけたシート材を残すために前記材料の一部を除去すること、から成ることを特徴とする、ブラジャー用パッドの製造方法。
【請求項２】
前記シート材は熱成形可能な材質であり、前記方法は段階的に厚みをつけたシート材をブラジャー用パッドの形に熱成形することから構成されることを特徴とする、請求項１に記載のブラジャー用パッドの製造方法。
【請求項３】
前記頂部の周りを取り巻く薄手の部分を切断することによって、段階的に厚みをつけたシート材から構成されるブラジャー用パッドを切り離すことを特徴とする、請求項１に記載のブラジャー用パッドの製造方法。
【請求項４】
段階的に厚みをつけたシート材が一対の互いにスペースを取った頂部から構成されることを特徴とする、請求項１に記載のブラジャー用パッドの製造方法。
【請求項５】
段階的に厚みをつけたシート材に、まず、さらに別の弾性を有した成形可能な材料で構成したシート材を接着し、そして段階的に厚みをつけたシート材に接着した別のシート材を合わせて成形し、ブラジャー用パッドを形成することを特徴とする、請求項１に記載のブラジャー用パッドの製造方法。
【請求項６】
前記除去工程が、成形可能な材料から成る弾性のシート材を削り取ることにより行われることを特徴とする、請求項１に記載のブラジャー用パッドの製造方法。
【請求項７】
削り取り工程が、少なくとも弾性を有した成形可能な材料でできた前記シート材の一部が少なくとも一つの凹部にある状態で、削り取りを行う道具を前記成形可能な材料でできた弾性のシート材内に通すことを特徴とする、請求項６に記載のブラジャー用パッドの製造方法。
【請求項８】
均一な厚みを持ち成形可能で弾性を有するシート材を少なくとも一つの凹部の中にある当該シート材の一部と共に保持することと、前記凹部と適合する少なくとも一つの段階的に厚みをつけた肉厚頂部領域とその回りの肉薄領域を有する前記材料の段階的に厚みをつけたシート材を残すために前記材料の一部を除去することから構成した方法によって製造されたことを特徴とする、ブラジャー用パッド。
【請求項９】
前記ブラジャー用パッドが弾性を有し成形可能な材料から形成された段階的に厚みをつけたシート材に付着された別のシート材を含んでいることを特徴とする、請求項８に記載のブラジャー用パッド。
【請求項１０】
前記段階的に厚みをつけたシート材と別のシート材のいずれも、熱可塑性樹脂フォームから構成され、ラミネート加工された表面と、他のシート材に接着されている反対の面を有することを特徴とする、請求項９に記載のブラジャー用パッド。
【請求項１１】
前記弾性を有し成形可能な材料から形成されたシート材はいずれも、熱可塑性の材料から構成されていることを特徴とする、請求項１０に記載のブラジャー用パッド。
【請求項１２】
前記熱可塑性の材料とはポリウレタンフォームであることを特徴とする、請求項１１に記載のブラジャー用パッド。
【請求項１３】
前記弾性を有し成形可能な材料から形成された段階的に厚みをつけたシート材に付着された繊維製の積層を、シート材が互いに接着される面とは反対の面に設けた、弾性を有し成形可能な材料から形成された別のシート材を含んでいることを特徴とする、請求項８に記載のブラジャー用パッド。
【請求項１４】
一部を取り除き段階的に厚みをつけたシート材を残すためにその一部を除去する作業は、削り落とす作業によって行われることを特徴とする、請求項８に記載のブラジャー用パッド。
【請求項１５】
前記除去工程が、少なくとも弾性を有した成形可能な材料でできた前記シート材の一部が少なくとも一つの凹部にある状態で削り取りを行う道具を前記成形可能な材料でできた弾性のシート材内に通すことを特徴とする、請求項６に記載のブラジャー用パッドの製造方法。
【請求項１６】
カップ型に成形されラミネート加工を施した柔軟な発泡素材製の第１パネルと、柔軟な材料製の第２パネルから成る構造であり、前記第１パネルと前記第２パネルは互いに略同じ広がりを有し、胸部カップの縁部の形状を決定するものであり、前記柔軟な発泡素材製の第１パネルは厚みが変化し、前記縁部から離れた一つ以上の部分に、前記縁部により近い部分に比べて厚みを増した部分を設けた、ブラジャー用成形胸部カップ。
【請求項１７】
前記第１パネルは、柔軟な発泡素材であることを特徴とする、請求項１６に記載の成形胸部カップ。
【請求項１８】
前記第２パネルは、柔軟な繊維素材であることを特徴とする、請求項１６に記載の成形胸部カップ。
【請求項１９】
前記厚みを増した部分は、使用時には、前記胸部カップを内蔵した前記ブラジャーの利用者の乳首が位置する場所に位置していることを特徴とする、請求項１６に記載の成形胸部カップ。
【請求項２０】
前記第１パネルは、前記厚みを増した部分を除いて、均一の厚みであることを特徴とする、請求項１６に記載の成形胸部カップ。
【請求項２１】
前記柔軟な材料製の第１パネルの前記厚みを増した部分と前記厚みが均一な部分との間の厚みの変化は、急激な厚みの変化がないことを特徴とする、請求項２０に記載の成形胸部カップ。
【請求項２２】
前記柔軟な素材製の第１パネルの前記厚みを増した部分と、前記厚みが均一な部分との間の厚みの変化は、なだらかな変化であることを特徴とする、請求項２０に記載の成形胸部カップ。
【請求項２３】
前記第１パネルは、前記厚みを増した部分を除いて、均一の厚みであり、該厚みを増した部分は、前記厚みを増した部分の中央で最大の厚みを有し、該厚みを増した部分の縁部に向かうにつれ徐々に厚みを減少させることを特徴とする、請求項１６に記載の成形胸部カップ。
【請求項２４】
前記第１パネルは、その第１主要側部の外形を整えることにより導入された前記厚みの変化を有し、反対側にあるその第２主要側部は、前記カップ形状に形成する以外は、外形を整えられていないことを特徴とする、請求項１６に記載の成形胸部カップ。
【請求項２５】
前記第１パネルの第１主要側部は、前記第２パネルの位置に配置されることを特徴とする、請求項２４に記載の成形胸部カップ。
【請求項２６】
前記第１パネルの第１主要側部は、前記第２パネルに係合されることを特徴とする、請求項２４に記載の成形胸部カップ。
【請求項２７】
前記第１パネルは、前記第２パネルに結合されることを特徴とする、請求項２４に記載の成形胸部カップ。
【請求項２８】
前記第１パネルは、単一のパネルであることを特徴とする、請求項２４に記載の成形胸部カップ。
【請求項２９】
前記第１パネルは、均一の厚みを有した発泡素材製の第１層と、この第１層に結合して前記厚みを増した部分を構成する材料製の第２層とから構成されることを特徴とする、請求項１６に記載の成形胸部カップ。
【請求項３０】
前記第２層は、発泡素材製であることを特徴とする、請求項２９に記載の成形胸部カップ。
【請求項３１】
繊維素材製の第１パネルは、前記カップ形状の凹部に対して前記構造体に覆いかぶせてあることを特徴とする、請求項１６に記載の成形胸部カップ。
【請求項３２】
前記繊維素材製の第１パネルは、前記柔軟材料製の第１パネルと前記第２パネルのいずれか一方にラミネート加工されていることを特徴とする、請求項３１に記載の成形胸部カップ。
【請求項３３】
前記繊維素材製の第２パネルは、前記カップ型の凸部側に設けた前記構造体に覆いかぶせてあることを特徴とする、請求項１６に記載の成形胸部カップ。
【請求項３４】
前記繊維素材製の第２パネルは、前記柔軟材料製の第１パネル（？）と前記第２パネルのいずれか他方にラミネート加工されていることを特徴とする、請求項３２に記載の成形胸部カップ。
【請求項３５】
前記第１パネルは、前記カップ型の凹部側に配置され、前記第２パネルは、前記カップ型の凸部側に配置されていることを特徴とする、請求項１６に記載の成形胸部カップ。
【請求項３６】
前記第１パネルは、前記カップ型の凸部側に配置され、前記第２パネルは、前記カップ型の凹部側に配置されていることを特徴とする、請求項１６に記載の成形胸部カップ。
【請求項３７】
前記第１パネルと前記第２パネルは、前記縁部に近接する部分の中心に向かって縫い目を形成するような縫い目や境界線がないことを特徴とする、請求項１６に記載の成形胸部カップ。
【請求項３８】
前記縁部に近接する部分の中心に向かって縫い目を形成するような縫い目や境界線がないことを特徴とする、請求項１６に記載の成形胸部カップ。
【請求項３９】
胸部カップを内蔵することを特徴とする、請求項１６に記載のブラジャー。
【請求項４０】
（ａ）該第１平板状パネルの第１主要表面から材料の輪郭を形成するために、材料を取り除くことによって形状を決定することで厚みを変化させ、もって該縁部から離れた領域の部分に前記縁部により近接して厚みの少ない部分に比較して厚みのある部分をつくる柔軟な発泡素材製の第１平板状パネルと、（ｂ）前記第１平面状パネルの前記第１主要表面側に位置する柔軟な発泡素材製の第２パネルとをラミネート加工によって接着し、同じ広がりを有する平板状の構造体を構成することと、前記平板状の構造体を成形し、カップ状の形状を前記平板状の構造体に合わせて決定することと、カップ状でないものとして定義されるあらゆる余剰の部分を前記構造体から取り除くことから成ることを特徴とする、胸部カップを構成する方法。
【請求項４１】
（ａ）柔軟な発泡素材製の第１層およびこの第１層の第１主要表面に結合する柔軟な発泡素材製の第２層から成り、厚みを変えて前記第１層に前記第２層を設けることによって形状が決定され、もって該縁部から離れた領域の部分に、前記縁部により近接し、厚みの少ない部分に比較して厚みのある部分をつくる第１平板状パネルを、（ｂ）前記第１パネルの該第１主要表面側に位置する柔軟な発泡素材製の第２パネルとをラミネート加工によって接着し、同じ広がりを有する平板状の構造体を構成することと、前記平板状の構造体を成形し、カップ型の形状を前記平板状の構造体に合わせて決定することと、カップ型でないものとして定義されるあらゆる余剰の部分を前記構造体から取り除くことから成ることを特徴とする胸部カップを構成する方法。
【発明の詳細な説明】
【技術分野】
【０００１】
本願発明は、一般的には、ブラジャー及びこれに関連する衣服の分野に属し、特にブラジャー、キャミソール、スリップ、スイミングスーツなど、胸部を覆うために、パッドを使用することが望ましい衣服に使用される、従来品より厚い中央頂部を有するパッド製品とその新規で有用な製造方法に関する。
【背景技術】
【０００２】
本願発明は、ブラジャーとこれに関連する胸部パッド構造と題して２００４年３月19日に出願された米国特許出願番号１０／８０４，４０３号と、ブラジャーとブラジャー類似物のための中央頂部を有するパッドと題して２００４年８月４日に出願された米国特許出願番号１０／９１１，２６９号の、一部継続出願である。両発明の内容は共に参照することで本願発明でも繰り返される。
【０００３】
ボディラインを強調するために弾性を有するパッドをブラジャーに使用することは公知である。しかしながら、パッド入りのブラジャーは常に望まれるものではない。パッドなしのブラジャーも公知であるが、このようなブラジャーにおいては、ボディラインを強調する能力は限られている。
【０００４】
最近になって、ブラジャーのより容易な製造を可能にする、ブラジャー製造用の材料が開発された。従来、ブラジャーのカップ形状は、そこに３次元形状を与えるために、縫製その他の方法で互いに継ぎ合わされた複数枚のパネルから構成されていた。人工発砲素材や合成繊維素材など、成形可能な合成素材の登場に伴い、現在カップの形状は、一枚のパネルあるいはさまざまな材料から成る複数枚のパネルを組み合わせたものに成形を施して、３次元形状を決定することが可能になっている。材料に成形を施して、所望の形状を決定することが可能になったことで、製造工程が簡略化され、早められることになった。着用者の胸にサポートを与えるために、カップの形状は、着用者にさらなる利便性を提供することが求められることが多くなっている。
【０００５】
胸の全体とは言わないまでも、一部でもブラジャーに隠れることを多くの女性は望んでいる。つつましい着こなしのためには、着用者の乳首が、ブラジャーやその上に着けるあらゆる着衣の外側から常に見えない状態であることが望ましい。現在広く用いられているブラジャーの成形カップ形状では、上記の目的でのカップ形状の改善に全くつながらない。成形カップ形状は、通常カップ本体全体に略同じ肉厚でなく、カップの肉厚を増して着用者の乳首が外部から見える度合いを減らそうとすることは可能であるかも知れないが、このように肉厚を増すことによってブラジャーの製造コストが増してしまうことになってしまう。さらに、ブラジャーの存在そのものが、できるだけ目立たないものであるのが望ましいとすれば、その縁部においてブラジャーの肉厚が増した部分が存在するのは望ましいことではない。ブラジャーの縁部が、比較的薄肉であり、結果としてこの部分が、着用者の肌に対して羽をつけた程度の外観しか示さない程度となることが望ましい。
【０００６】
この点に関して、特許先行技術には、さまざまな例が見られる。
【０００７】
米国特許第４，０１３，７５０号は、外縁部より中心部が肉厚のあるブラジャー用パッドを製造することを可能にするブラジャー用パッド段階的に肉厚をつけたものの製造方法について開示している。成形装置が用いられ、これによって、ポリエステル繊維で作られた略円錐形のパッドを、頂部の部分を周縁部より肉厚を持たせて製造する。米国特許第３，９４７，２０７号も参照のこと。
【０００８】
その他本願発明に関連性のある特許発明は次のとおりである。
米国特許番号                発明者
第２，５０７，５４３号      Ｐｒａｇｅｒ氏
第２，５６５，４００号      Ｓｋｅｏｃｈ氏
第２，６１６，０９３号      Ｔａｌａｌａｙ氏
第２，６２７，３６８号      Ｊａｎｔｚｅｎ氏
第２，７０２，７６９号      Ａｌｄｅｒｆｅｒ氏
第２，８４５，９７４号      Ａｓｈｔｏｎ氏他
第３，１６４，６５５号      Ｈｏｗａｒｄ氏他
第３，１８６，２７１号      Ｋａｉｓｅｒ氏
第３，３１１，００７号      ＭｃＧｅｅ氏
第３，４１７，７５５号      Ｈｏｗａｒｄ氏他
第３，４６４，４１８号      Ｓｉｌｖｅｒｍａｎ氏
第３，５０２，０８３号      Ｈｏｗａｒｄ氏他
第３，８００，６５０号      Ｓｃｈｒｏｅｄｅｒ氏
第４，３５１，２１１号      Ａｚｚｏｌｉｎｉ氏
第５，０１７，１７４号      Ｇｏｗｒｙｌｏｗ氏
第５，２９９，４８３号      Ｂｅｒ−Ｆｏｎｇ氏
【０００９】
Ｊａｎｔｚｅｎ氏の米国特許第２，６２７，３６８号は、あらかじめ曲線をつけたパッド用充填材の製造方法について開示しており、ここでは材料の空白部（blank）の一部を受け入れるために凹部を設けた成形型が用いられている。成形型の凹部の中へ空白部(blank)を押圧或は圧縮するための手段が設けられている。鋭い可動ナイフが成形型と圧縮されている素材の間を通過し、これによって曲線をつけたショルダーパッド用充填部および、肉厚部から薄肉部にかけて、一定の割合で厚みが漸減するテーパー部が形成される。
【００１０】
Ｋａｉｓｅｒ氏の米国特許第３，１８６，２７１号は、スポンジやクッション材（ｃｕｓｈｉｏｎｓ）などの発泡素材から構成される成形物品を製造する装置並びに方法について示唆し教示している。
【００１１】
Ｊａｎｔｚｅｎ氏も、Ｋａｉｓｅｒ氏も、一枚のシート状の材料に、一対の厚みを帯びた部分を設け、ブラジャー用パッドが完成した時に、この部分が中央の頂部にあたるような位置に来るようにしたものは開示も示唆もしていない。
【００１２】
Ｈｏｗａｒｄ氏他の米国特許第３，１６４，６５５号、第３，４１７，７５５号、並びに第３，５０２，０８３号は、空白部（blank）の外形の成形について開示しており、この空白部に所望の形状並びに外形を与える方法については開示しているが、一枚のシート状の材料に、一対の厚みを帯びた部分を設け、ブラジャー用パッドが熱成形を経て完成した時に、この厚みを帯びた部分が中央の頂部にあたるように位置付けしたものは開示していない。
【００１３】
Ｔａｌａｌａｙ氏の米国特許第２，６１６，０９３号は、ショルダーパッドや胸部用パッドのような衣料用パッドについて開示しており、このパッドは、比較的厚みのある部分から比較的薄肉の部分まで、厚みを段階的に変えて凹部複合の形状となっており、パッドを構成する材料としてはさまざまな部材を用いている。
【００１４】
ＭｃＧｅｅ氏の米国特許登録第３，３１１，００７号は、発泡素材製パッド上に少なくとも一つの輪郭つきの表面を作り出すための装置について開示しているが、この発明は、本願発明が、発泡素材製の部材を、雄型成形部に対向する平板状の成形部を圧縮することによって切り出す効果について教示しており、余分な部分を切り落とした材料の外形が雄型成形部の形状をもとに作られていることから、本願発明とは大いに異なっている。ＭｃＧｅｅは、発泡素材の余分な部分が切り取られる前に、凹部を覆い、その全体を覆いつくす発泡素材をもとに部品の外形を作るという点は教示できていない。
【００１５】
Ｔｈｏｍｐｓｏｎ氏他の米国特許第２，７２７，２７８号は、成形ブラジャーの製造方法について開示しており、各々のブラジャーのパッドの充填材の厚みは、頂部の厚みが、その周りの部分の肉厚より大きくなるように構成されている。この発明に記載された成形ブラジャーの製造工程は、本願発明のものとは大きく異なり、凹部に押し付けられた材料の余分な部分を切り落とす点が教示されていない。
【００１６】
その他の特許は、上記とは異なるパッド関連の技術について開示しているが、この技術は本願発明とは異なるものである。一般的な参照用としてこれらの特許も添付している。
【発明の開示】
【発明が解決しようとする課題】
【００１７】
改良型のパッド、さらにはかかる改良型のブラジャー用パッドで、ブラジャーに対してパッドとしてより似つかわしいやり方で効果を高める一方で、パッドをつけていることが容易に認識されないようなブラジャー用パッドの製造方法については、需要が依然として存在している。
【００１８】
本発明の目的は、中央部に他の部分より肉厚のある頂部を設けたブラジャー用パッドの製造方法、ならびに該パッドそのもの、さらに該パッド製造に用いられる装置を提供するところにある。
【００１９】
さらに、本発明の目的は、本発明に記載の方法に従って製造された、ブラジャー用パッドを提供することにある。
【００２０】
さらに、本発明の目的は、先行技術の上述のような限界に対応しているか、あるいは少なくとも、大衆に有益な選択肢を提供する成形カップ形状を含む、ブラジャーを提供することにある。
【００２１】
さらに、本発明の目的は、柔軟な発泡素材から構成される第１のパネルと第２のパネルとのラミネート構造から構成された成形カップ形状を提供するところにある。
【課題を解決するための手段】
【００２２】
上記した目的を達成するために本願発明は、弾性を有し成形可能な、例えば熱可塑性樹脂フォームのような材料から製造された、均一な肉厚を有するシート材を保持することと、このシート材を成形してブラジャー及びブラジャー状の衣料（本願発明では、パッドが最終的に使用されるあらゆる衣料のブラジャーを指す）の頂部に相当する、一つないし二つの、他の部分に比べて厚みを有する部分を作り出すことから構成されることを特徴としている。
【００２３】
本願発明はまた、この第１のパネルと第２のパネルは、互いに同一の広がりを有し、胸部カップの縁部の形状を決定するもので、柔軟な発泡素材から構成される第１のパネルは部分ごとに肉厚が異なり、縁部から離れた箇所に、縁部に近接した比較的薄肉の部分に比較して厚みを帯びた部分を有している。
【００２４】
肉厚のある部分は、使用時に、胸部カップを含めたブラジャーを利用する者の乳首が位置づけられる箇所に位置していることが望ましい。
第１のパネルは、比較的肉厚を有する部分を除いて均一の肉厚を有し、比較的肉厚を有する部分は、この部分の中心で肉厚が最大となり、この部分の縁部に向かうにつれて、肉厚が小さくなっていることが望ましい。
【００２５】
第２のパネルは、第１のパネルの第１主要部側に設けられ、同じ広がりを有する平板状の構成体を形成し、カップの形状を平板状の構成体のものに合わせて成形され、カップ形状が決定された部分以外の余剰の部分は、構成体から取り除かれる。
【００２６】
本発明は、また、大部分が個別的にであれ全体としてであれ、本明細書に記載もしくは提示された部品、部材、特徴から構成されており、さらに、前記部品、前記部材、前記特徴の複数のものの組み合わせのいずれか一つもしくは全てから構成されているということもできる。また、本明細書中に本発明との関連で等価であると知られている特定の数値が記載されている場合は、本明細書では、個別に記載されたものとして記載する。本発明を明示するために、図面には現時点で好ましいと思われる形態を記載するが、このことは、本発明がまさに図示された配置に限られると解釈されてはならない。
【００２７】
本発明を特徴づける新規性を有する特徴は、特に本開示書類に添付され、その一部をなす請求項で指摘される。本発明、その作用時の利便性、さらに本発明を使用することによって得られる特定の目的をよりよく理解するために、添付の図面及び本発明の好ましい実施形態が示される記載の内容に言及することとする。
【発明を実施するための最良の形態】
【００２８】
ここで図面に言及するが、ここでは同様の指示記号は同一の部材もしくは同様の作用を持つ部材を示すのに用いられている。図１は切り出し型を示し、この切り出し型は全体としては指示記号１０で示されており、この切り出し型は切り出し型下部１２と切り出し型上部１４から構成され、例えば厚さ７ｍｍのポリウレタンフォーム１６をその間に挟んでいる。ポリウレタンフォームが示されているが、本発明によれば、あらゆる熱可塑性樹脂フォームを使用することができ、実際には、弾性を有し３次元の形状に成形することが可能な、あらゆる成形可能な材料を用いることが可能である。切り出し成形用金型又は切り出し型部１２及び１４は、木、プラスチック、金属の他に、適当な硬質の材料を用いて作ることができる。切り出し型下部１２は、一対の凹部１８をその上面に含み、この凹部は、本発明によって構成されることになる各ブラジャー用パッドの中心部の頂部の近傍に位置するよう構成されている。
【００２９】
図２は、切り出し成形型の閉成状態を示しており、弾性を有し成形可能なシート材１６が、切り出し型下部１２のほうに押し下げられており、これによってシート材１６の一部は、各凹部１８の方に押し付けられるが、素材の厚みは、例えば指示記号２０のように、残っている。
【００３０】
指示記号２２でその全体を示した切り出し装置も図２に示している。この切り出し装置２２は、可動キャリッジ２４を設け、これによってシート材１６（図２の面に直交している）を横切って、この幅全体に延びる刃、ナイフ、あるいは切り出し部材２６を動かすことができる。刃２６はさらに、切り出し型上部１４並びに切り出し型下部２０のそれぞれの中間に位置し、層２０の一部がシート材１６からきれいに切り離されるような構成としている。この目的で、切り出し部材２６は熱をもつこともあり（例えば切断ワイヤー）、取り付けられて帯のこのような運動をすることもあり、電気のこぎりのように前後に振動することもあり、その他板状のシート材１６を切断するのに適切な形で振動することもある。
【００３１】
切り出し装置２２が作動して、振動や熱、その他の形で切り出し部材２６を作動させるのに伴い、可動キャリッジ２４は矢印Ａの方向に移動し、図３に示した終了時の位置に達するまで、シート材１６に沿って移動する。
【００３２】
この位置において、切断部３０がシート材１６の中に形成され、こうして切り出し結果が得られる。図４は、切り出された部品あるいは段階的に厚みをつけたシート状の素材１６ａを、切り出し型を開けてここから取り外した状態を示すものである。シート状の素材１６ａは、頂部が５．５ｍｍの厚さの厚肉素材部１７及びこれを取り巻く１ｍｍの厚さの薄肉素材部１９から構成されている。図８は、直角方向の段階的に厚みをつけたシート状の素材１６ａを、点線で示したものである。シート状の素材１６ａは、例えば厚さ２ｍｍで、これもポリウレタンフォーム素材で構成された第２の外部カップ用シート３２に取り付けられている。切り出され段階的に厚みをつけたシート状の素材１６ａが、内部カップ用シートを構成する。
【００３３】
図５に示したように、内部カップ用シート１６ａと外部カップ用シート３２は、それぞれラミネート又は繊維の被覆３３および３４を含み、被覆３３および３４は、それぞれナイロンあるいはナイロンとスパンデックスの混紡で構成されている。これはブラジャー用発泡素材に使用される伝統的な被覆である。重要な点は、本発明にしたがって、被覆３３は、内部カップ用シート１６ａの内側の外面に面しており、このため、切り出し装置２２によって切り離されることはないこと、さらに、外部カップ用シート３２は、その外面に被覆３４を有していることである。これによって、シート１６ａおよび３２の内面が、自由にスプレーのりを受けることができる状態になる。スプレーのりがこれら２つの表面にかけられた後、互いに圧接されることで、単一の複合段階的に厚みをつけたものが構成される。
【００３４】
図６では、熱成形型４０が、全体として４０という指示記号で示されているが、これは、図に示したように、下部メス成形部又は下部メス成形金型４２と上部メス成形部又は上部メス成形金型４４とから構成されている。段階的に厚みをつけたもの１６ａ，３２は、2つの金型４２および４４の間に配置され、厚肉頂部１７の中心を下部メス成形金型４２に設けた一対の凹部４６と合わせ、この各凹部４６はさらに、オス成形金型４４に設けた一対のオス凸部４８に対応している。各雄凸部４８は、小凹部あるいは平面部４９、または、内部カップ用シート１６ａの厚肉頂部１７が完全に押しつぶされるのを防止するよう構成された部分を含むものとしてもよい。
【００３５】
この成形金型４２，４４は、図７及び図８に示した被成形物の最終成形物への成形のために、適切なレベルに加熱される。最終成形物は、厚さ５ｍｍ乃至６ｍｍの厚肉頂部１７，１７が、厚さ１ｍｍの薄肉周縁部１９，１９に取り囲まれたものとして設けられており、この薄肉周縁部１９，１９は、各厚肉頂部１７，１７をそれぞれ取り囲んでいる。この薄肉周縁部１９はさらに、例えば厚さ２ｍｍの内側領域を有し、以上示したような構成により、本発明に記載のブラジャー用パッドを使用し、或はこれを内蔵して製造したブラジャーには、例えば厚さ５ｍｍの厚肉頂部１７を、バストトップの頂点の上方に設け、例えばテーパー加工を施して厚さ１ｍｍにした薄肉部を薄肉周縁部１９に設けることになる。
【００３６】
図９に示したように、図７及び図８に記載の成形物から切り出された、一対のパッド５２，５４は、従来の方法でブラジャーに用いることができる。このパッド５２，５４はまた、女性の体型を覆い隠すために用いられるブラジャー以外の衣料である、スイミングスーツ、キャミソール、他のブラジャーなどのブラジャー類似の衣料に用いられるものである。
【００３７】
図１６によれば、ブラジャー１０１が図示されており、このブラジャー１０１は、他の構成要素、例えば身体用ストラップ１０３と肩用ストラップ１０４等に結ばれた２枚の胸部カップ１０２を含むものである。
【００３８】
胸部カップ１０２は、中間連結部１０５において、互いに結合されている。胸部カップ１０２は、縁部１０６と該縁部１０６内側にある本体部１０７を有している。胸部カップ１０２は、成形された形状であり、その大部分は単一の構造であるが、これはその上を覆う形状で、望ましくはカップの型の構成を決定する、同一の広がりを有する複数のパネルのみから構成されることも、複数のパネル以外の部品が組み込まれることもある。しかしながら、本発明に記載の胸部カップ１０２は、さらに別のパネルを、縫い合わせる等の方法でつなぎ合わせることによって、胸部カップの外部に配置する、或はこれに係合する構成とすることも可能であることが想定されている。さらにこの時、別につなぎ合わされたパネルは、カップ型の縁部１０６から延びるものとすることも、縁部１０６の間に胸部カップ１０２に連結されるものとすることも可能であり、これによってカップ型の本体部１０７の一部を決定する。
【００３９】
ブラジャーの２つの胸部カップ１０２は、中間連結部１０５の回りでの実質的に鏡のようなイメージである。これまで、この前の工程にあった材料から構成された、或はこれから構成される単一の胸部カップに言及してきたし、今後もこうした形で言及していくが、このような言及を行うのはまた、もう一方の胸部カップにも胸部カップとしては同一の形状が与えられることを考慮しているためである。
【００４０】
図１３によれば、胸部カップ１０２が示されている。胸部カップ１０２は成形されて３次元の形状、例えば少なくとも利用者の胸の一部をサポートし覆う目的にかなったカップの形状が与えられている。胸部カップ１０２は、図１０によれば、柔軟な発泡素材製第１パネル１０８を含み、さらに好ましくは柔軟な発泡素材製第２パネル１０９、柔軟な繊維素材製カバーパネル１１０、柔軟な繊維素材カバー用第２パネル１１１も含む。例えば図１４で示した別の実施形態では、胸部カップの形状を決定するのは、柔軟な発泡素材製第１パネル１０８、柔軟な繊維素材製カバーパネル１１０、又は柔軟な素材製カバーパネルであり、ここでは図１０に示した柔軟な発泡素材製第２パネル１０９が設けられていない。
【００４１】
本発明において言及したのは、かかるパネルが、熱ラミネート加工およびまたは接着ラミネート加工で互いに直接つなげられることが好ましいという構成であったが、シート状の素材を積み重ねたものを構成するパネル或はパネルの構造がこれらのパネルの間に設けられる構成でも評価することができる。
【００４２】
図１０によれば、本願発明に記載の胸部カップのパネルを示し、柔軟な発泡素材製第１パネル１０８及び柔軟な発泡素材製第２パネル１０９から構成されているものの断面図である。配置された状態で好ましくは柔軟な発泡素材製第１パネル１０８と略同じ広がりを有する状態で、柔軟な繊維素材製パネルが設けられている。パネル１０８及びパネル１１０をラミネート構造にしたものが、本願発明に記載の方法で利用されるロール状にストックされた材料から供給を受けている。柔軟な繊維素材は、例えばナイロンであり、発泡素材は例えばポリウレタンとすることが可能である。発泡素材製第２パネル１０９は、露出した第１主要表面１１３と、繊維性のパネル１１０がラミネート加工される第２主要表面１１４から構成されている。パネル１０８及びパネル１１０の構造体の加工前形態では、このような構造体は成形されていない状態であり、自然状態では平面もしくは平面状の状態にある。
【００４３】
例えば繊維素材製第２パネル１１１と組み合される発泡素材製第２パネル１０９が設けられている。発泡素材製第２パネル１０９は、露出した主要表面１１５と繊維素材第２パネル１１１がラミネート加工される被覆主要表面１１６から構成されている。パネル１０８およびパネル１１０の構造体と同様に、発泡素材製第１パネル１０９と繊維素材第２パネル１１１も、ロール状にストックされた材料から供給を受けており、自然状態では平面もしくは平面状の状態にある。
ここから作られる直角に切り出されたパネルの加工前構造体の大きさは、成形器により成形をかけて、その３次元のカップの形状を決定しようとした時に、所望のカップの形状全体のサイズを決定するのに十分な大きさである。発泡素材製第１パネル１０８は、発泡素材製第２パネル１０９の厚さＹよりも肉厚のある厚さＸであることが望ましい。
【００４４】
図１１に関しては、発泡素材製第１パネル１０８が形成されて、厚さ増加領域１１６の形状が決定している。厚さ増加領域１１６は、パネル１０８及びパネル１１０の構造体の縁部１１７の間に設けられている。この厚さ増加領域１１６はさらに、パネル１０８及びパネル１１０の構造体のこの部分の内側に向かって（縁部の内側に向かって）設けられており、成形されたカップの形状が本発明に記載の胸部カップの形状を最終的に決定している。
【００４５】
それ故、他のパネルを用いてカップの形に成形され、本発明に記載の胸部カップの形状を図１３に示したとおりに決定した場合に、厚さ増加領域１１６は、胸部カップの縁部１０６の内側に設けられる。好ましい形態では、柔軟な発泡素材製第１パネルは、成形を受ける前には、図１０に示したように、厚さ増加領域１１６を除いて略一定の肉厚Ｚになるように形成されている。最も好ましい形態では、このような輪郭の成形は、パネルの余分な部分を切り取って、発泡素材製第１パネル１０８の第１主要部側における輪郭の形状を決定することによって行われる。これについては上記に詳細に論じたとおりである。
【００４６】
図１０に示したように、ここで輪郭を整えた発泡素材製第１パネル１０８の第１主要面１１３Ａを成形し、この形を整えていくと、第１主要面１１３Ａには、パネル１０８及びパネル１１０の構造体の縁部もしくはこの縁部の方向に伸びる薄肉部分から伸びている厚さ増加領域１１６が含まれる構造となる。厚さ増加領域１１６は例えば、図１１に示したとおりドーム状であり、一定の直径Ｄを有する。
【００４７】
別の実施例の場合には、形状は、例えば図１４に記載したとおり、なだらかに起伏を有している。厚さ増加領域の存在がブラジャーの最終工程ではほとんど隠れるようにするために、厚さ増加領域１１６或はこの厚さ増加領域の略中央にある頂部が最大の厚さを有し、この厚さ増加領域の縁部１１９に行くにつれ厚さが減少していくことが好ましい。このような厚さの減少は、例えば図１４に示したように、直線状のテーパー加工によって可能である。最も好ましい形態では、発泡素材製第２パネル１０９は、輪郭を整えることが全くない。発泡素材製第１パネル１０８は輪郭を整えられるが、第１パネルの繊維を使用しない側であり、パネル１１０に対向する側である。
【００４８】
パネル１０８及びパネル１１０の構造体はここで、図１２に示したように、成形器を使ってパネル１０９及びパネル１１１の構造体にラミネート加工される。成型器は各々その中に輪郭あるいは外形を形成しており、パネルによる加工前構成体に、３次元あるいは胸部カップのカップ形状を与える２つの成形上部１２０及び成形下部１２１から構成されている。成形上部１２０は例えば、凹状に落ち込んだ部分を含んでおり、成形下部１２１は、成形上部１２０の、凹状に落ち込んだ部分を略補う形の、凸状の立ち上がった部分を設けている。
【００４９】
パネル１０８及びパネル１１０の構造体とパネル１０9及びパネル１１１の構造体は、２つの成形上部と成形下部との間に、この２つの構造体が適切な状態（好ましくは同一の広がりを持って）で重なり合うように配置される。この後、２つの成形上部と成形下部とが合わせられる。これらの２つの成形部は加熱されていることが好ましい。この構造体の間にさらに接着剤が塗布され圧力による接着と熱の両方を用いることで、良好なラミネート接着がこの２つの構造体の間で確立される。カップの形状を加工前のパネル或はパネル構造体に形成した後、形成された予備加工のパネルからカップの形状が切り取られ、これによって周囲の形状が図１３に記載のとおり決定される。カップの縁部１０６の一部は、圧縮加圧領域１２３から構成され、この圧縮加圧領域１２３では、材料から構成された重なったパネルが、本体部１０７より大きな圧力を受ける。このように圧縮加圧領域を設けると、カップにフランジの形状を与えることができ、このフランジがカップをブラジャーの他の部分に固定する目的に供することができる。
【００５０】
図１３によれば、加工前の材料に３次元の形状あるいはカップの形状を形成し、加工前の材料をラミネート加工した後、厚さ増加領域１１６が、胸部カップ１０２の縁部１０６の内側に配置される。そして、厚さ増加領域１１６が、胸部カップ１０２の本体部１０７の内部に設けられる。厚さ増加領域１１６は、通常ブラジャーの利用者の胸の乳首が当たる位置に来る。
【００５１】
図１７は、図１３の１７−１７線断面図である。厚さ増加領域１１６が、かかる増加領域における胸部カップ全体の厚さを増加させるよう設けられたものとして図示されている。厚さＢは厚さＣに比べて大きい。厚さは縁部でのみＢがＣより大きいかもしれないが、さらに厚さを増して胸部カップから利用者の乳首が見えることが少なくなるようしたことは、厚さ増加領域１１６で材料の密度を増した結果である。胸部カップが形成されると、厚さ増加領域１１６がかかる圧縮を若干行う結果となり、材料の密度をこの増加域で増し、これによって胸部カップから乳首の存在が解かる可能性が減少する。好まれる形態では厚さＥが厚さＸと略同じであり、それゆえ厚さ増加領域１１６の厚さが最大になる部分では、発泡素材を柔軟発泡素材製の加工前輪郭付け板８から削り取ったり取り除いたりすることは起こらなかった。
【００５２】
図１５によれば、厚さ増加領域の別の実施例が図示されている。発泡素材の第１層が露出した主要面１１３に素材の第２層１２４を結合させている。この素材の第２層は、例えば同様の発泡素材で輪郭を整えて、図１１あるいは図１４に示したように、第１層と第２層の構造体に、同一の所望の輪郭を与えている。
【００５３】
最も好ましい形態では、発泡素材製第２パネル１０９と繊維素材製パネル１１１から構成される第２構造体が、接着によって発泡素材製第１パネルにラミネート加工されているが、図１８によれば、他の実施例が提示されており、ここでは第１パネル１０８が、繊維素材製柔軟パネル１１１を受け止め、発泡素材製第２パネル１０９の存在なしに直接に係合されている。このような構成がカップ型に形成されていく状況が、図１８に図示されている。
【００５４】
本発明の特殊な実施例が示され詳細に記載され、本発明の原理の応用について明らかにしたが、本発明はこの原理から逸脱することなく実施することが可能であることは理解されよう。
【図面の簡単な説明】
【００５５】
【図１】本発明に記載のパッドを製造し、ポリウレタンフォーム素材のシートを挟んで、本発明に記載の方法を実施するために用いられる開放切り出し型の側面図である。
【図２】図１の切り出し型と同様の図であり、その閉成位置、さらに、切り出し装置の動作開始時の状態を示すものである。
【図３】図２と同様の図であり、切り出し装置の動作終了時の状態を示すものである。
【図４】切り出しが行われ、さらに段階的に厚みが設けられた、本発明に記載のブラジャー用パッドに使用するシートの側面図である。
【図５】図４と同様の図であり、ブラジャー用パッドの段階的に厚みをつけたものの側面図である。
【図６】本発明に記載のブラジャー用パッドの段階的に厚みをつけたものを型の間に挟んだ状態の、成形用型の分解図である。
【図７】本発明に記載の２つの成形パッドを作り出すための、成形済材料の断面図である。
【図８】図７に記載の成形済材料の平面図である。
【図９】本発明に従い製造された、ブラジャー用パッドを示す図である。
【図１０】本願発明の他の実施例を示し、パネルの構成体を示す分解断面図であり、成形され積層化される前の状態を示したものである。
【図１１】図１０のパネルの構成体を示す断面図であり、型に入れて成形される前の状態を示したものである。
【図１２】本発明に記載の２つパネル構成体を示し、積層化され、型付けをする装置によって３次元のカップ型に成形される前の状態を示したものである。
【図１３】カップ型に型付けが施され、ブラジャーの部品として組み込むのに適した縁部の形を決めるのに切り出された状態を示す平面図である。
【図１４】図１１の物に対するパネル構成体の他の構成の断面図である。
【図１５】図１４のさらに別の構成の断面図である。
【図１６】本発明に記載のカップ形状を含むブラジャーの斜視図である。
【図１７】図１３の１７−１７線に沿った断面図であり、図１２に記載のパネルの構成体が示されている。
【図１８】図１３の１７−１７線に沿った断面図であり、図１４に記載のパネルの構成体が示されている。
【図１】
2007529644.tif 000003
【図２】
2007529644.tif 000004
【図３】
2007529644.tif 000005
【図４】
2007529644.tif 000006
【図５】
2007529644.tif 000007
【図６】
2007529644.tif 000008
【図７】
2007529644.tif 000009
【図８】
2007529644.tif 000010
【図９】
2007529644.tif 000011
【図１０】
2007529644.tif 000012
【図１１】
2007529644.tif 000013
【図１２】
2007529644.tif 000014
【図１３】
2007529644.tif 000015
【図１４】
2007529644.tif 000016
【図１５】
2007529644.tif 000017
【図１６】
2007529644.tif 000018
【図１７】
2007529644.tif 000019
【図１８】
2007529644.tif 000020
【手続補正書】
【提出日】平成18年9月26日(2006.9.26)
【手続補正１】
【補正対象書類名】特許請求の範囲
【補正対象項目名】請求項３４
【補正方法】変更
【補正の内容】
【請求項３４】
前記繊維素材製の第２パネルは、前記柔軟材料製の第１パネルと前記第２パネルのいずれか他方にラミネート加工されていることを特徴とする、請求項３２に記載の成形胸部カップ。
【手続補正２】
【補正対象書類名】特許請求の範囲
【補正対象項目名】請求項３９
【補正方法】変更
【補正の内容】
【請求項３９】
請求項１６に記載の胸部カップを内蔵することを特徴とする、ブラジャー。
【手続補正３】
【補正対象書類名】明細書
【補正対象項目名】全文
【補正方法】変更
【補正の内容】
【発明の詳細な説明】
【技術分野】
【０００１】
本願発明は、一般的には、ブラジャー及びこれに関連する衣服の分野に属し、特にブラジャー、キャミソール、スリップ、スイミングスーツなど、胸部を覆うために、パッドを使用することが望ましい衣服に使用される、従来品より厚い中央頂部を有するパッド製品とその新規で有用な製造方法に関する。
【背景技術】
【０００２】
本願発明は、ブラジャーとこれに関連する胸部パッド構造と題して２００４年３月19日に出願された米国特許出願番号１０／８０４，４０３号と、ブラジャーとブラジャー類似物のための中央頂部を有するパッドと題して２００４年８月４日に出願された米国特許出願番号１０／９１１，２６９号の、一部継続出願である。両発明の内容は共に参照することで本願発明でも繰り返される。
【０００３】
ボディラインを強調するために弾性を有するパッドをブラジャーに使用することは公知である。しかしながら、パッド入りのブラジャーは常に望まれるものではない。パッドなしのブラジャーも公知であるが、このようなブラジャーにおいては、ボディラインを強調する能力は限られている。
【０００４】
最近になって、ブラジャーのより容易な製造を可能にする、ブラジャー製造用の材料が開発された。従来、ブラジャーのカップ形状は、そこに３次元形状を与えるために、縫製その他の方法で互いに継ぎ合わされた複数枚のパネルから構成されていた。人工発泡素材や合成繊維素材など、成形可能な合成素材の登場に伴い、現在カップの形状は、一枚のパネルあるいはさまざまな材料から成る複数枚のパネルを組み合わせたものに成形を施して、３次元形状を決定することが可能になっている。材料に成形を施して、所望の形状を決定することが可能になったことで、製造工程が簡略化され、早められることになった。着用者の胸にサポートを与えるために、カップの形状は、着用者にさらなる利便性を提供することが求められることが多くなっている。
【０００５】
胸の全体とは言わないまでも、一部でもブラジャーに隠れることを多くの女性は望んでいる。つつましい着こなしのためには、着用者の乳首が、ブラジャーやその上に着けるあらゆる着衣の外側から常に見えない状態であることが望ましい。現在広く用いられているブラジャーの成形カップ形状では、上記の目的でのカップ形状の改善に全くつながらない。成形カップ形状は、通常カップ本体全体に略同じ肉厚でなく、カップの肉厚を増して着用者の乳首が外部から見える度合いを減らそうとすることは可能であるかも知れないが、このように肉厚を増すことによってブラジャーの製造コストが増してしまうことになってしまう。さらに、ブラジャーの存在そのものが、できるだけ目立たないものであるのが望ましいとすれば、その縁部においてブラジャーの肉厚が増した部分が存在するのは望ましいことではない。ブラジャーの縁部が、比較的薄肉であり、結果としてこの部分が、着用者の肌に対して羽をつけた程度の外観しか示さない程度となることが望ましい。
【０００６】
この点に関して、特許先行技術には、さまざまな例が見られる。
【０００７】
米国特許第４，０１３，７５０号は、外縁部より中心部が肉厚のあるブラジャー用パッドを製造することを可能にするために、ブラジャー用パッドの予備形態の製造方法について開示している。成形装置が用いられ、これによって、ポリエステル繊維で作られた略円錐形のパッドを、頂部の部分を周縁部より肉厚を持たせて製造する。米国特許第３，９４７，２０７号も参照のこと。
【０００８】
その他本願発明に関連性のある特許発明は次のとおりである。
米国特許番号                発明者
第２，５０７，５４３号      Ｐｒａｇｅｒ氏
第２，５６５，４００号      Ｓｋｅｏｃｈ氏
第２，６１６，０９３号      Ｔａｌａｌａｙ氏
第２，６２７，３６８号      Ｊａｎｔｚｅｎ氏
第２，７０２，７６９号      Ａｌｄｅｒｆｅｒ氏
第２，８４５，９７４号      Ａｓｈｔｏｎ氏他
第３，１６４，６５５号      Ｈｏｗａｒｄ氏他
第３，１８６，２７１号      Ｋａｉｓｅｒ氏
第３，３１１，００７号      ＭｃＧｅｅ氏
第３，４１７，７５５号      Ｈｏｗａｒｄ氏他
第３，４６４，４１８号      Ｓｉｌｖｅｒｍａｎ氏
第３，５０２，０８３号      Ｈｏｗａｒｄ氏他
第３，８００，６５０号      Ｓｃｈｒｏｅｄｅｒ氏
第４，３５１，２１１号      Ａｚｚｏｌｉｎｉ氏
第５，０１７，１７４号      Ｇｏｗｒｙｌｏｗ氏
第５，２９９，４８３号      Ｂｅｒ−Ｆｏｎｇ氏
【０００９】
Ｊａｎｔｚｅｎ氏の米国特許第２，６２７，３６８号は、あらかじめ曲線をつけたパッド用充填材の製造方法について開示しており、ここでは材料の空白部（blank）の一部を受け入れるために凹部を設けた成形型が用いられている。成形型の凹部の中へ空白部(blank)を押圧或は圧縮するための手段が設けられている。鋭い可動ナイフが成形型と圧縮されている素材の間を通過し、これによって曲線をつけたショルダーパッド用充填部および、肉厚部から薄肉部にかけて、一定の割合で厚みが漸減するテーパー部が形成される。
【００１０】
Ｋａｉｓｅｒ氏の米国特許第３，１８６，２７１号は、スポンジやクッション材（ｃｕｓｈｉｏｎｓ）などの発泡素材から構成される成形物品を製造する装置並びに方法について示唆し教示している。
【００１１】
Ｊａｎｔｚｅｎ氏も、Ｋａｉｓｅｒ氏も、一枚のシート状の材料に、一対の厚みを帯びた部分を設け、ブラジャー用パッドが完成した時に、この部分が中央の頂部にあたるような位置に来るようにしたものは開示も示唆もしていない。
【００１２】
Ｈｏｗａｒｄ氏他の米国特許第３，１６４，６５５号、第３，４１７，７５５号、並びに第３，５０２，０８３号は、空白部（blank）の外形の成形について開示しており、この空白部に所望の形状並びに外形を与える方法については開示しているが、一枚のシート状の材料に、一対の厚みを帯びた部分を設け、ブラジャー用パッドが熱成形を経て完成した時に、この厚みを帯びた部分が中央の頂部にあたるように位置付けしたものは開示していない。
【００１３】
Ｔａｌａｌａｙ氏の米国特許第２，６１６，０９３号は、ショルダーパッドや胸部用パッドのような衣料用パッドについて開示しており、このパッドは、比較的厚みのある部分から比較的薄肉の部分まで、厚みを段階的に変えて凹部複合の形状となっており、パッドを構成する材料としてはさまざまな部材を用いている。
【００１４】
ＭｃＧｅｅ氏の米国特許登録第３，３１１，００７号は、発泡素材製パッド上に少なくとも一つの輪郭つきの表面を作り出すための装置について開示しているが、この発明は、本願発明が、発泡素材製の部材を、雄型成形部に対向する平板状の成形部を圧縮することによって切り出す効果について教示しており、余分な部分を切り落とした材料の外形が雄型成形部の形状をもとに作られていることから、本願発明とは大いに異なっている。ＭｃＧｅｅは、発泡素材の余分な部分が切り取られる前に、凹部を覆い、その全体を覆いつくす発泡素材をもとに部品の外形を作るという点は教示できていない。
【００１５】
Ｔｈｏｍｐｓｏｎ氏他の米国特許第２，７２７，２７８号は、成形ブラジャーの製造方法について開示しており、各々のブラジャーのパッドの充填材の厚みは、頂部の厚みが、その周りの部分の肉厚より大きくなるように構成されている。この発明に記載された成形ブラジャーの製造工程は、本願発明のものとは大きく異なり、凹部に押し付けられた材料の余分な部分を切り落とす点が教示されていない。
【００１６】
その他の特許は、上記とは異なるパッド関連の技術について開示しているが、この技術は本願発明とは異なるものである。一般的な参照用としてこれらの特許も添付している。
【発明の開示】
【発明が解決しようとする課題】
【００１７】
改良型のパッド、さらにはかかる改良型のブラジャー用パッドで、ブラジャーに対してパッドとしてより似つかわしいやり方で効果を高める一方で、パッドをつけていることが容易に認識されないようなブラジャー用パッドの製造方法については、需要が依然として存在している。
【００１８】
本発明の目的は、中央部に他の部分より肉厚のある頂部を設けたブラジャー用パッドの製造方法、ならびに該パッドそのもの、さらに該パッド製造に用いられる装置を提供するところにある。
【００１９】
さらに、本発明の目的は、本発明に記載の方法に従って製造された、ブラジャー用パッドを提供することにある。
【００２０】
さらに、本発明の目的は、先行技術の上述のような限界に対応しているか、あるいは少なくとも、大衆に有益な選択肢を提供する成形カップ形状を含む、ブラジャーを提供することにある。
【００２１】
さらに、本発明の目的は、柔軟な発泡素材から構成される第１のパネルと第２のパネルとのラミネート構造から構成された成形胸部カップ形状を提供するところにある。
【課題を解決するための手段】
【００２２】
上記した目的を達成するために本願発明は、弾性を有し成形可能な、例えば熱可塑性樹脂フォームのような材料から製造された、均一な肉厚を有するシート材を保持することと、このシート材を成形してブラジャー及びブラジャー状の衣料（本願発明では、パッドが最終的に使用されるあらゆる衣料のブラジャーを指す）の頂部に相当する、一つないし二つの、他の部分に比べて厚みを有する部分を作り出すことから構成されることを特徴としている。
【００２３】
本願発明はまた、この第１のパネルと第２のパネルは、互いに同一の広がりを有し、胸部カップの縁部の形状を決定するもので、柔軟な発泡素材から構成される第１のパネルは部分ごとに肉厚が異なり、縁部から離れた箇所に、縁部に近接した比較的薄肉の部分に比較して厚みを帯びた部分を有している。
【００２４】
肉厚のある部分は、使用時に、胸部カップを含めたブラジャーを利用する者の乳首が位置づけられる箇所に位置していることが望ましい。
第１のパネルは、比較的肉厚を有する部分を除いて均一の肉厚を有し、比較的肉厚を有する部分は、この部分の中心で肉厚が最大となり、この部分の縁部に向かうにつれて、肉厚が小さくなっていることが望ましい。
【００２５】
第２のパネルは、第１のパネルの第１主要部側に設けられ、同じ広がりを有する平板状の構成体を形成し、カップの形状を平板状の構成体のものに合わせて成形され、カップ形状が決定された部分以外の余剰の部分は、構成体から取り除かれる。
【００２６】
本発明は、また、大部分が個別的にであれ全体としてであれ、本明細書に記載もしくは提示された部品、部材、特徴から構成されており、さらに、前記部品、前記部材、前記特徴の複数のものの組み合わせのいずれか一つもしくは全てから構成されているということもできる。また、本明細書中に本発明との関連で等価であると知られている特定の数値が記載されている場合は、本明細書では、個別に記載されたものとして記載する。本発明を明示するために、図面には現時点で好ましいと思われる形態を記載するが、このことは、本発明がまさに図示された配置に限られると解釈されてはならない。
【００２７】
本発明を特徴づける新規性を有する特徴は、特に本開示書類に添付され、その一部をなす請求項で指摘される。本発明、その作用時の利便性、さらに本発明を使用することによって得られる特定の目的をよりよく理解するために、添付の図面及び本発明の好ましい実施形態が示される記載の内容に言及することとする。
【発明を実施するための最良の形態】
【００２８】
ここで図面に言及するが、ここでは同様の指示記号は同一の部材もしくは同様の作用を持つ部材を示すのに用いられている。図１は切り出し型を示し、この切り出し型は全体としては指示記号１０で示されており、この切り出し型は切り出し型下部１２と切り出し型上部１４から構成され、例えば厚さ７ｍｍのポリウレタンフォーム製のシート材１６をその間に挟んでいる。ポリウレタンフォームのものが示されているが、本発明によれば、あらゆる熱可塑性樹脂フォームを使用することができ、実際には、弾性を有し３次元の形状に成形することが可能な、あらゆる成形可能な材料を用いることが可能である。切り出し成形用金型又は切り出し型部１２及び１４は、木、プラスチック、金属の他に、適当な硬質の材料を用いて作ることができる。切り出し型下部１２は、一対の凹部１８をその上面に含み、この凹部は、本発明によって構成されることになる各ブラジャー用パッドの中心部の頂部の近傍に位置するよう構成されている。
【００２９】
図２は、切り出し成形型の閉成状態を示しており、弾性を有し成形可能なシート材１６が、切り出し型下部１２のほうに押し下げられており、これによってシート材１６の一部は、各凹部１８の方に押し付けられるが、素材の厚みは、例えば指示記号２０のように、残っている。
【００３０】
指示記号２２でその全体を示した切り出し装置も図２に示している。この切り出し装置２２は、可動キャリッジ２４を設け、これによってシート材１６（図２の面に直交している）を横切って、この幅全体に延びる刃、ナイフ、あるいは切り出し部材２６を動かすことができる。刃２６はさらに、切り出し型上部１４並びに切り出し型下部１２のそれぞれの中間に位置し、素材の厚み２０の一部がシート材１６からきれいに切り離されるような構成としている。この目的で、切り出し部材２６は熱をもつこともあり（例えば切断ワイヤー）、取り付けられて帯のこのような運動をすることもあり、電気のこぎりのように前後に振動することもあり、その他発泡素材製のシート材１６を切断するのに適切な形で振動することもある。
【００３１】
切り出し装置２２が作動して、振動や熱、その他の形で切り出し部材２６を作動させるのに伴い、可動キャリッジ２４は矢印Ａの方向に移動し、図３に示した終了時の位置に達するまで、シート材１６に沿って移動する。
【００３２】
この位置において、切断部３０がシート材１６の中に形成され、こうして切り出し結果が得られる。図４は、切り出された部品あるいは段階的に厚みをつけたシート状の素材１６ａを、切り出し型を開けてここから取り外した状態を示すものである。シート状の素材１６ａは、頂部が５．５ｍｍの厚さの厚肉部１７及びこれを取り巻く１ｍｍの厚さの薄肉素材部１９から構成されている。図８は、直角方向の段階的に厚みをつけたシート状の素材１６ａを、点線で示したものである。シート状の素材１６ａは、例えば厚さ２ｍｍで、これもポリウレタンフォーム素材で構成された第２の外部カップ用シート３２に取り付けられている。切り出され段階的に厚みをつけたシート状の素材１６ａが、内部カップ用シートを構成する。
【００３３】
図５に示したように、段階的に厚みをつけたシート状の素材１６ａとカップ用シート３２は、それぞれラミネート又は繊維の被覆３３および３４を含み、被覆３３および３４は、それぞれナイロンあるいはナイロンとスパンデックスの混紡で構成されている。これはブラジャー用発泡素材に使用される伝統的な被覆である。重要な点は、本発明にしたがって、被覆３３は、段階的に厚みをつけたシート状の素材１６ａの内側の外面に面しており、このため、切り出し装置２２によって切り離されることはないこと、さらに、カップ用シート３２は、その外面に被覆３４を有していることである。これによって、シート状の素材１６ａとカップ用シート３２の内面が、自由にスプレーのりを受けることができる状態になる。スプレーのりがこれら２つの表面にかけられた後、互いに圧接されることで、単一の複合段階的に厚みをつけたものが構成される。
【００３４】
図６では、熱成形型４０が、全体として４０という指示記号で示されているが、これは、図に示したように、下部メス成形部又は下部メス成形金型４２と上部メス成形部又は上部メス成形金型４４とから構成されている。シート状の素材１６ａとカップ用シート３２は、２つの金型４２および４４の間に配置され、厚肉部１７の中心を下部メス成形金型から構成される予備成形物４２に設けた一対の凹部４６と合わせ、この各凹部４６はさらに、オス成形金型４４に設けた一対のオス凸部４８に対応している。各雄凸部４８は、小凹部あるいは平面部４９、または、シート状の素材１６ａの厚肉部１７が完全に押しつぶされるのを防止するよう構成された部分を含むものとしてもよい。
【００３５】
この成形金型４２，４４は、図７及び図８に示した被成形物の最終成形物への成形のために、適切なレベルに加熱される。最終成形物は、厚さ２ｍｍ乃至６ｍｍの厚肉部１７，１７が、厚さ１ｍｍの薄肉周縁部１９，１９に取り囲まれたものとして設けられており、この薄肉周縁部１９，１９は、各厚肉部１７，１７をそれぞれ取り囲んでいる。この薄肉周縁部１９はさらに、例えば厚さ２ｍｍの内側領域を有し、以上示したような構成により、本発明に記載のブラジャー用パッドを使用し、或はこれを内蔵して製造したブラジャーには、例えば厚さ５ｍｍの厚肉部１７を、バストトップの頂点の上方に設け、例えばテーパー加工を施して厚さ１ｍｍにした薄肉部を薄肉周縁部１９に設けることになる。
【００３６】
図９に示したように、図７及び図８に記載の成形物から切り出された、一対のパッド５２，５４は、従来の方法でブラジャーに用いることができる。このパッド５２，５４はまた、女性の体型を覆い隠すために用いられるブラジャー以外の衣料である、スイミングスーツ、キャミソール、他のブラジャーなどのブラジャー類似の衣料に用いられるものである。
【００３７】
図１６によれば、ブラジャー１０１が図示されており、このブラジャー１０１は、他の構成要素、例えば身体用ストラップ１０３と肩用ストラップ１０４等に結ばれた２枚の胸部カップ１０２を含むものである。
【００３８】
胸部カップ１０２は、中間連結部１０５において、互いに結合されている。胸部カップ１０２は、縁部１０６と該縁部１０６内側にある本体部１０７を有している。胸部カップ１０２は、成形された形状であり、その大部分は単一の構造であるが、これはその上を覆う形状で、望ましくはカップの型の構成を決定する、同一の広がりを有する複数のパネルのみから構成されることも、複数のパネル以外の部品が組み込まれることもある。しかしながら、本発明に記載の胸部カップ１０２は、さらに別のパネルを、縫い合わせる等の方法でつなぎ合わせることによって、胸部カップの外部に配置する、或はこれに係合する構成とすることも可能であることが想定されている。さらにこの時、別につなぎ合わされたパネルは、カップ型の縁部１０６から延びるものとすることも、縁部１０６の間に胸部カップ１０２に連結されるものとすることも可能であり、これによってカップ型の本体部１０７の一部を決定する。
【００３９】
ブラジャーの２つの胸部カップ１０２は、中間連結部１０５を中心にして略線対称を示している。これまで、この前の工程にあった材料から構成された、或はこれから構成される単一の胸部カップに言及してきたし、今後もこうした形で言及していくが、このような言及を行うのはまた、もう一方の胸部カップにも胸部カップとしては同一の形状が与えられることを考慮しているためである。
【００４０】
図１３によれば、胸部カップ１０２が示されている。胸部カップ１０２は成形されて３次元の形状、例えば少なくとも利用者の胸の一部をサポートし覆う目的にかなったカップの形状が与えられている。胸部カップ１０２は、図１０によれば、柔軟な発泡素材製パネル１０８を含み、さらに好ましくは柔軟な発泡素材製第２パネル１０９、柔軟な繊維素材製第１パネル１１０、柔軟な繊維素材製第２パネル１１１も含む。例えば図１４で示した別の実施形態では、胸部カップの形状を決定するのは、柔軟な発泡素材製第１パネル１０８、柔軟な繊維素材製第１パネル１１０、又は柔軟な繊維素材製第２パネルであり、ここでは図１０に示した柔軟な発泡素材製第２パネル１０９が設けられていない。
【００４１】
本発明において言及したのは、かかるパネルが、熱ラミネート加工およびまたは接着ラミネート加工で互いに直接つなげられることが好ましいという構成であったが、シート材を積み重ねたものを構成するパネル或はパネルの構造がこれらのパネルの間に設けられる構成でも評価することができる。
【００４２】
図１０によれば、本願発明に記載の胸部カップのパネルを示し、柔軟な発泡素材製第１パネル１０８及び柔軟な発泡素材製第２パネル１０９から構成されているものの断面図である。配置された状態で好ましくは柔軟な発泡素材製第１パネル１０８と略同じ広がりを有する状態で、柔軟な繊維素材製第１パネルが設けられている。パネル１０８及びパネル１１０からラミネート構造を形成したものが、本願発明に記載の方法で利用されるロール状にストックされた材料から供給を受けている。柔軟な繊維素材は、例えばナイロンであり、発泡素材は例えばポリウレタンとすることが可能である。発泡素材製第２パネル１０９は、露出した第１主要表面１１３と、柔軟な繊維素材製第１パネル１１０がラミネート加工される第２主要表面１１４から構成されている。パネル１０８及びパネル１１０の構造体の加工前形態では、このような構造体は成形されていない状態であり、自然状態では平面もしくは平面状の状態にある。
【００４３】
例えば繊維素材製第２パネル１１１と組み合される発泡素材製第２パネル１０９が設けられている。発泡素材製第２パネル１０９は、露出した主要表面１１５と繊維素材第２パネル１１１がラミネート加工される被覆主要表面１１６から構成されている。パネル１０８およびパネル１１０の構造体と同様に、発泡素材製第１パネル１０９と繊維素材第２パネル１１１も、ロール状にストックされた材料から供給を受けており、自然状態では平面もしくは平面状の状態にある。
ここから作られる直角に切り出されたパネルの加工前構造体の大きさは、成形器により成形をかけて、その３次元のカップの形状を決定しようとした時に、所望のカップの形状全体のサイズを決定するのに十分な大きさである。柔軟な発泡素材製第１パネル１０８は、発泡素材製第２パネル１０９の厚さＹよりも肉厚のある厚さＸであることが望ましい。
【００４４】
図１１に関しては、発泡素材製第１パネル１０８が形成されて、厚さ増加領域１１６の形状が決定している。厚さ増加領域１１６は、パネル１０８及びパネル１１０の構造体の縁部１１７の間に設けられている。この厚さ増加領域１１６はさらに、パネル１０８及びパネル１１０の構造体のこの部分の内側に向かって（縁部の内側に向かって）設けられており、成形されたカップの形状が本発明に記載の胸部カップの形状を最終的に決定している。
【００４５】
それ故、他のパネルを用いてカップの形に成形され、本発明に記載の胸部カップの形状を図１３に示したとおりに決定した場合に、厚さ増加領域１１６は、胸部カップの縁部１０６の内側に設けられる。好ましい形態では、柔軟な発泡素材製第１パネルは、成形を受ける前には、図１０に示したように、厚さ増加領域１１６を除いて略一定の肉厚Ｚになるように形成されている。最も好ましい形態では、このような輪郭の成形は、パネルの余分な部分を切り取って、発泡素材製第１パネル１０８の第１主要部側における輪郭の形状を決定することによって行われる。これについては上記に詳細に論じたとおりである。
【００４６】
図１０に示したように、ここで輪郭を整えた発泡素材製第１パネル１０８の第１主要面１１３Ａを成形し、この形を整えていくと、第１主要面１１３Ａには、パネル１０８及びパネル１１０の構造体の縁部もしくはこの縁部の方向に伸びる薄肉部分から伸びている厚さ増加領域１１６が含まれる構造となる。厚さ増加領域１１６は例えば、図１１に示したとおりドーム状であり、一定の直径Ｄを有する。
【００４７】
別の実施例の場合には、形状は、例えば図１４に記載したように、段階的に変化するものであっても良い。厚さ増加領域の存在がブラジャーの最終工程ではほとんど隠れるようにするために、厚さ増加領域１１６或はこの厚さ増加領域の略中央にある頂部が最大の厚さを有し、この厚さ増加領域の縁部１１９に行くにつれ厚さが急激な落差を伴わず減少していくことが好ましい。このような厚さの減少は、例えば図１４の指示記号１１９の箇所に示したように、凸凹のないテーパー加工によって可能である。最も好ましい形態では、発泡素材製第２パネル１０９は、輪郭を整えることが全くない。発泡素材製第１パネル１０８は輪郭を整えられるが、第１パネルの繊維を使用しない側であり、パネル１１０に対向する側である。
【００４８】
パネル１０８及びパネル１１０の構造体はここで、図１２に示したように、成形器を使ってパネル１０９及びパネル１１１の構造体にラミネート加工される。成型器は各々その中に輪郭あるいは外形を形成しており、パネルによる加工前構成体に、３次元あるいは胸部カップのカップ形状を与える２つの成形部、すなわち成形上部１２０及び成形下部１２１から構成されている。成形上部１２０は例えば、凹状に落ち込んだ部分を含んでおり、成形下部１２１は、成形上部１２０の、凹状に落ち込んだ部分を略補う形の、凸状の立ち上がった部分を設けている。
【００４９】
パネル１０８及びパネル１１０の構造体とパネル１０9及びパネル１１１の構造体は、２つの成形上部と成形下部との間に、この２つの構造体が適切な状態（好ましくは同一の広がりを持って）で重なり合うように配置される。この後、２つの成形上部と成形下部とが合わせられる。これらの２つの成形部は加熱されていることが好ましい。この構造体の間にさらに接着剤が塗布され圧力による接着と熱の両方を用いることで、良好なラミネート接着がこの２つの構造体の間で確立される。カップの形状を加工前のパネル或はパネル構造体に形成した後、形成された予備加工のパネルからカップの形状が切り取られ、これによって周囲の形状が図１３に記載のとおり決定される。カップの縁部１０６の一部は、圧縮加圧領域１２３から構成され、この圧縮加圧領域１２３では、材料から構成された重なったパネルが、本体部１０７より大きな圧力を受ける。このように圧縮加圧領域を設けると、カップにフランジの形状を与えることができ、このフランジがカップをブラジャーの他の部分に固定する目的に供することができる。
【００５０】
図１３によれば、加工前の材料に３次元の形状あるいはカップの形状を形成し、加工前の材料をラミネート加工した後、厚さ増加領域１１６が、胸部カップ構造体１０２の縁部１０６の内側に配置される。そして、厚さ増加領域１１６が、胸部カップ構造体１０２の本体部１０７の内部に設けられる。厚さ増加領域１１６は、通常ブラジャーの利用者の胸の乳首が当たる位置に来る。
【００５１】
図１７は、図１３の１７−１７線断面図である。厚さ増加領域１１６が、かかる増加領域における胸部カップ全体の厚さを増加させるよう設けられたものとして図示されている。厚さＢは厚さＣに比べて大きい。厚さは縁部でのみＢがＣより大きいかもしれないが、さらに厚さを増して胸部カップから利用者の乳首が見えることが少なくなるようしたことは、厚さ増加領域１１６で材料の密度を増した結果である。胸部カップが形成されると、厚さ増加領域１１６がかかる圧縮を若干行う結果となり、材料の密度をこの増加域で増し、これによって胸部カップから乳首の存在が解かる可能性が減少する。好まれる形態では厚さＢが図１０に示した厚さＸと略同じであり、それゆえ厚さ増加領域１１６の厚さが最大になる部分では、発泡素材を柔軟な発泡素材製第１パネル１０８から削り取ったり取り除いたりすることは起こらなかった。
【００５２】
図１５によれば、厚さ増加領域の別の実施例が図示されている。発泡素材の第１層が露出した主要面１１３に素材の第２層１２４を結合させている。この素材の第２層は、例えば同様の発泡素材で輪郭を整えて、図１１あるいは図１４に示したように、第１層と第２層の構造体に、同一の所望の輪郭を与えている。
【００５３】
最も好ましい形態では、発泡素材製第２パネル１０９と繊維素材製パネル１１１から構成される第２構造体が、接着によって発泡素材製第１パネルにラミネート加工されているが、図１８によれば、他の実施例が提示されており、ここでは第１パネル１０８が、繊維素材製柔軟パネル１１１を受け止め、発泡素材製第２パネル１０９の存在なしに直接に係合されている。このような構成がカップ型に形成されていく状況が、図１８に図示されている。
【００５４】
本発明の特殊な実施例が示され詳細に記載され、本発明の原理の応用について明らかにしたが、本発明はこの原理から逸脱することなく実施することが可能であることは理解されよう。
【図面の簡単な説明】
【００５５】
【図１】本発明に記載のパッドを製造し、ポリウレタンフォーム素材のシートを挟んで、本発明に記載の方法を実施するために用いられる開放切り出し型の側断面図である。
【図２】図１の切り出し型と同様の図であり、その閉成位置、さらに、切り出し装置の動作開始時の状態を示すものである。
【図３】図２と同様の図であり、切り出し装置の動作終了時の状態を示すものである。
【図４】切り出しが行われ、さらに段階的に厚みが設けられた、本発明に記載のブラジャー用パッドに使用するシートの側断面図である。
【図５】図４と同様の図であり、ブラジャー用パッドの段階的に厚みをつけたものの側断面図である。
【図６】本発明に記載のブラジャー用パッドの段階的に厚みをつけたものを型の間に挟んだ状態の、成形用型の側断面分解図である。
【図７】本発明に記載の２つの成形パッドを作り出すための、成形済材料の側断面図である。
【図８】図７に記載の成形済材料の平面図である。
【図９】本発明に従い製造された、ブラジャー用パッドを示す平面図である。
【図１０】本願発明の他の実施例を示し、パネルの構成体を示す分解側面図であり、成形され積層化される前の状態を示したものである。
【図１１】図１０のパネルの構成体を示す側面図であり、型に入れて成形される前の状態を示したものである。
【図１２】本発明に記載の２つパネルの構成体を示し、積層化され、型付けをする装置によって３次元のカップ型に成形される前の状態を示した一部断面分解側面図である。
【図１３】カップ型に型付けが施され、ブラジャーの部品として組み込むのに適した縁部の形を決めるのに切り出された状態を示す平面図である。
【図１４】図１１の物に対するパネルの構成体の他の構成の側面図である。
【図１５】図１４のさらに別の構成の側面図である。
【図１６】本発明に記載のカップ形状を含むブラジャーの正面図である。
【図１７】図１３の１７−１７線に沿った断面図であり、図１２に記載のパネルの構成体が示されている。
【図１８】図１３の１７−１７線に沿った断面図であり、図１４に記載のパネルの構成体が示されている。
【手続補正４】
【補正対象書類名】図面
【補正対象項目名】図１
【補正方法】変更
【補正の内容】
【図１】
2007529644.tif 000021
【手続補正５】
【補正対象書類名】図面
【補正対象項目名】図２
【補正方法】変更
【補正の内容】
【図２】
2007529644.tif 000022
【手続補正６】
【補正対象書類名】図面
【補正対象項目名】図３
【補正方法】変更
【補正の内容】
【図３】
2007529644.tif 000023
【手続補正７】
【補正対象書類名】図面
【補正対象項目名】図４
【補正方法】変更
【補正の内容】
【図４】
2007529644.tif 000024
【手続補正８】
【補正対象書類名】図面
【補正対象項目名】図５
【補正方法】変更
【補正の内容】
【図５】
2007529644.tif 000025
【手続補正９】
【補正対象書類名】図面
【補正対象項目名】図６
【補正方法】変更
【補正の内容】
【図６】
2007529644.tif 000026
【手続補正１０】
【補正対象書類名】図面
【補正対象項目名】図７
【補正方法】変更
【補正の内容】
【図７】
2007529644.tif 000027
【手続補正１１】
【補正対象書類名】図面
【補正対象項目名】図１１
【補正方法】変更
【補正の内容】
【図１１】
2007529644.tif 000028
【手続補正１２】
【補正対象書類名】図面
【補正対象項目名】図１２
【補正方法】変更
【補正の内容】
【図１２】
2007529644.tif 000029
【手続補正１３】
【補正対象書類名】図面
【補正対象項目名】図１４
【補正方法】変更
【補正の内容】
【図１４】
2007529644.tif 000030
【手続補正１４】
【補正対象書類名】図面
【補正対象項目名】図１７
【補正方法】変更
【補正の内容】
【図１７】
2007529644.tif 000031
【手続補正１５】
【補正対象書類名】図面
【補正対象項目名】図１８
【補正方法】変更
【補正の内容】
【図１８】
2007529644.tif 000032
【国際調査報告】
2007529644.tif 000033